(57)【要約】
【課題】  シャワーヘッドを滑動させることなく、強固に把持させることができるシャワーヘッドの滑り止め具を提供する。
【解決手段】  滑り止め具１は、ゴム材料から構成されているので、摩擦係数を大きくして、シャワーヘッド１０の滑動を抑制することができる。更に、突設された滑り止め突部３によって理美容師の手を係止することができるので、シャワーヘッド１０の滑動をより一層抑制して、強固に把持させることができる。その結果、例えば、女性の理美容師など握力の弱い者であっても、シャワーヘッド１０を滑動させることなく、より強固に把持することができる。
【選択図】        図２
0003101274.tif 000002
【実用新案登録請求の範囲】
【請求項１】
一端がシャワーホースに連結される連結部と、その連結部の他端に連設されるヘッド部と、そのヘッド部の底部に設けられ多数の散水孔が穿設された散水板とを有するシャワーヘッドに装着され、そのシャワーヘッドを操作する際の滑り止めとして使用されるシャワーヘッドの滑り止め具であって、
ゴム材料から上下端が開放する略円筒状に形成され、前記ヘッド部の外周に装着可能に構成される滑り止め本体と、
その滑り止め本体の外周面から突出しつつ一体的に形成される滑り止め突部とを備えていることを特徴とするシャワーヘッドの滑り止め具。
【請求項２】
前記ヘッド部は、その外周に凹部が周設されるものであり、
前記滑り止め本体の内周側には、前記ヘッド部の凹部に嵌合可能な嵌合凸部がフランジ状に突出して形成されていることを特徴とする請求項１記載のシャワーヘッドの滑り止め具。
【請求項３】
前記滑り止め突部は、前記滑り止め本体の外周にリング状に周設される複数本の凸条として構成されていることを特徴とする請求項１又は２に記載のシャワーヘッドの滑り止め具。
【請求項４】
前記滑り止め本体は、その外周外径がテーパ状に縮径されるテーパ部を下端側に備えており、
そのテーパ部が前記ヘッド部の底部側となる状態で、前記滑り止め本体を前記ヘッド部の外周に装着した場合には、前記テーパ部がシャワーヘッドを把持する際の指先の係止部として利用可能に構成されていることを特徴とする請求項１から３のいずれかに記載のシャワーヘッドの滑り止め具。
【請求項５】
前記テーパ部の外周面が略平坦面状に構成されていることを特徴とする請求項４記載のシャワーヘッドの滑り止め具。
【請求項６】
前記滑り止め本体の嵌合凸部を前記ヘッド部の凹部に嵌合して、前記ヘッド部の外周に前記滑り止め本体を装着した場合には、前記滑り止め本体の下端が前記ヘッド部の底部よりも後方へ後退して構成されていることを特徴とする請求項２から５のいずれかに記載のシャワーヘッドの滑り止め具。
【考案の詳細な説明】
【技術分野】
【０００１】
本考案はシャワーヘッドの滑り止め具に関し、特に、シャワーヘッドを滑動させることなく、強固に把持させることができるシャワーヘッドの滑り止め具に関するものである。
【背景技術】
【０００２】
理容室や美容室には、通常、洗髪台が設置されており、調髪前、或いは、調髪後に理美容師によって洗髪が行われる。理美容師は、例えば、頭髪のシャンプーを洗い流す場合、シャワーヘッドを一方の手で把持して水の噴射操作を行いつつ、他方の手で頭髪を濯ぐための動作を行う。
【０００３】
そのため、業務用の洗髪台に装着されるシャワーヘッドは、水の噴射操作時において理美容師に負担をかけることなく、かつ、その噴射操作を片手でも容易に行うことができるように、一般的な浴室用のシャワーヘッドに比べて小型に、即ち、手の平に収まる程度の大きさに構成されている。
【特許文献１】特開平１１−１０４５２３号公報（段落［０００５］など）
【考案の開示】
【考案が解決しようとする課題】
【０００４】
しかしながら、従来のシャワーヘッドでは、その外観上のデザインを重視するものが一般的で、滑り止めに関しての考慮が不十分であった。また、理美容師は、素手で洗髪作業を行う必要があるため、例えば、シャンプーを洗い流す場合などには、その中に含まれる界面活性剤の影響などにより、樹脂製のシャワーヘッドを強固に把持することが困難となり、その結果、水の噴射操作中にシャワーヘッドが手の平の中で滑動してしまうという問題点があった。特に、女性などの力の弱い者や手の小さな者にとっては、この問題が顕著となる。
【０００５】
本考案は上述した問題点を解決するためになされたものであり、シャワーヘッドを滑動させることなく、強固に把持させることができるシャワーヘッドの滑り止め具を提供することを目的としている。
【課題を解決するための手段】
【０００６】
この目的を達成するために、請求項１記載のシャワーヘッドの滑り止め具は、一端がシャワーホースに連結される連結部と、その連結部の他端に連設されるヘッド部と、そのヘッド部の底部に設けられ多数の散水孔が穿設された散水板とを有するシャワーヘッドに装着され、そのシャワーヘッドを操作する際の滑り止めとして使用されるものであり、ゴム材料から上下端が開放する略円筒状に形成され、前記ヘッド部の外周に装着可能に構成される滑り止め本体と、その滑り止め本体の外周面から突出しつつ一体的に形成される滑り止め突部とを備えている。
【０００７】
請求項２記載のシャワーヘッドの滑り止め具は、請求項１記載のシャワーヘッドの滑り止め具において、前記ヘッド部は、その外周に凹部が周設されるものであり、前記滑り止め本体の内周側には、前記ヘッド部の凹部に嵌合可能な嵌合凸部がフランジ状に突出して形成されている。
【０００８】
請求項３記載のシャワーヘッドの滑り止め具は、請求項１又は２に記載のシャワーヘッドの滑り止め具において、前記滑り止め突部は、前記滑り止め本体の外周にリング状に周設される複数本の凸条として構成されている。
【０００９】
請求項４記載のシャワーヘッドの滑り止め具は、請求項１から３のいずれかに記載のシャワーヘッドの滑り止め具において、前記滑り止め本体は、その外周外径がテーパ状に縮径されるテーパ部を下端側に備えており、  そのテーパ部が前記ヘッド部の底部側となる状態で、前記滑り止め本体を前記ヘッド部の外周に装着した場合には、前記テーパ部がシャワーヘッドを把持する際の指先の係止部として利用可能に構成されている。
【００１０】
請求項５記載のシャワーヘッドの滑り止め具は、請求項４記載のシャワーヘッドの滑り止め具において、前記テーパ部の外周面が略平坦面状に構成されている。
【００１１】
請求項６記載のシャワーヘッドの滑り止め具は、請求項２から５のいずれかに記載のシャワーヘッドの滑り止め具において、前記滑り止め本体の嵌合凸部を前記ヘッド部の凹部に嵌合して、前記ヘッド部の外周に前記滑り止め本体を装着した場合には、前記滑り止め本体の下端が前記ヘッド部の底部よりも後方へ後退して構成されている。
【考案の効果】
【００１２】
請求項１記載のシャワーヘッドの滑り止め具によれば、ヘッド部の外周に装着される滑り止め本体は、ゴム材料から構成されており、その分、摩擦係数を大きくすることができるので、操作者にシャワーヘッドを滑動させることなく強固に把持させることができるという効果がある。
【００１３】
また、この滑り止め本体は、上下端が開放する略筒状体に構成されているので、ヘッド部の底部側から嵌め込むことにより装着することができる。よって、シャワーヘッドを分解等することなく容易に装着することができるという効果があると共に、滑り止め本体の内周径を適宜設定することにより、既存の種々のシャワーヘッドに装着することができるという効果がある。
【００１４】
更に、滑り止め本体の外周面には、滑り止め突部が突出して形成されているので、かかる滑り止め突部によって操作者の手を係止して、シャワーヘッドの滑動をより一層抑制することができるので、その分、操作者にシャワーヘッドをより強固に把持させることができるという効果がある。
【００１５】
請求項２記載のシャワーヘッドの滑り止め具によれば、請求項１記載のシャワーヘッドの滑り止め具の奏する効果に加え、滑り止め本体の内周には、ヘッド部の外周に凹設される凹部に嵌合可能な嵌合凸部がフランジ状に突出して形成されているので、かかる嵌合凸部と凹部との嵌合によって、滑り止め本体をヘッド部により強固に固定することができるという効果がある。
【００１６】
また、例えば、製造上のばらつきなどにより、滑り止め本体の内周径がヘッド部の外周径よりも若干大きくなり密着させることができないような場合でも、嵌合凸部と凹部との嵌合によって、滑り止め本体をヘッド部に固定することができる。よって、滑り止め本体の寸法公差に余裕を持たせることができるので、その分、製造上の管理コストを低減して、滑り止め具全体としての製品コストの低減を図ることができるという効果がある。
【００１７】
請求項３記載のシャワーヘッドの滑り止め具によれば、請求項１又は２に記載のシャワーヘッドの滑り止め具の奏する効果に加え、滑り止め突部は、滑り止め本体の外周にリング状に周設される複数本の凸条として構成されているので、散水板からの水の噴射方向や手の平の中で転がる方向に対する滑り止め効果を効果的に発揮することができるという効果がある。
【００１８】
請求項４記載のシャワーヘッドの滑り止め具によれば、請求項１から３のいずれかに記載のシャワーヘッドの滑り止め具の奏する効果に加え、滑り止め本体は、その外周外径がテーパ状に縮径されるテーパ部を下端側に備えているので、滑り止め本体をヘッド部の外周に装着した場合には、かかるテーパ部をシャワーヘッドを把持する際の指先の係止部として利用することができるという効果があり、その結果、女性などの力の弱い者に対しても、シャワーヘッドを滑動させることなく強固に把持させることができるという効果がある。
【００１９】
請求項５記載のシャワーヘッドの滑り止め具によれば、請求項４記載のシャワーヘッドの滑り止め具の奏する効果に加え、テーパ部の外周面が略平坦面状に構成されているので、シャワーヘッドを確実に把持するべく、そのテーパ部を指先で強固に押圧した場合でも、指先に滑り止め突部が圧入されることを防止して、長期の使用時にも指先への負担を軽減することができるという効果がある。
【００２０】
請求項６記載のシャワーヘッドの滑り止め具によれば、請求項２から５のいずれかに記載のシャワーヘッドの滑り止め具の奏する効果に加え、滑り止め本体の下端は、ヘッド部の底部よりも後方へ後退して構成されているので、例えば、襟足などへ向けて水を噴射するべく、シャワーヘッドを上方へ向けて使用する場合には、垂下する頭髪がゴム製の滑り止め本体に引っ掛かることを防止して、シャワーヘッドをスムーズに移動させることができるという効果がある。
【考案を実施するための最良の形態】
【００２１】
以下、本考案の好ましい実施例について、添付図面を参照して説明する。図１（ａ）は、本考案の一実施例における滑り止め具１が装着されたシャワーヘッド１０の側面図であり、図１（ｂ）は、滑り止め具１が装着されたシャワーヘッド１０の裏面図である。なお、図１（ａ）及び（ｂ）では、連結具２０の一部の図示が省略されている。
【００２２】
本実施例で説明するシャワーヘッド１０は、理容室や美容室に設置される洗髪台で使用される業務用のものであり、温水等の噴射操作時における理美容師の操作性を考慮して、手の平に収まる程度の大きさに構成されている。よって、一般的な浴室用のシャワーヘッドと比較して、小型かつ軽量に構成されている。
【００２３】
シャワーヘッド１０は、一端側（図１（ａ）及び（ｂ）右側）が介装部材２０を介して送水ホース（図示せず）に接続される連結部１１と、その連結部の他端側に連設され略中空状に形成されるヘッド部１２とを主に備えて構成されている。なお、これら連結部１１とヘッド部１２とは、樹脂材料から射出成形などにより一体に成形されている。
【００２４】
ヘッド部１２の裏面側（図１（ａ）下側、図１（ｂ）紙面手前側）には、散水板１３が配設されており、この散水板１３には、図１（ｂ）に示すように、複数の散水孔１４が穿設されている。よって、送水ホースからシャワーヘッド１０内に供給された温水等は、シャワーヘッド１０内の内部空間に貯留された後、その内部空間から複数の散水孔１４を介して外方へ勢い良く噴射される（図３参照）。
【００２５】
滑り止め具１は、シャワーヘッド１０を操作する際の滑り止めとして使用されるものであり、例えば、理美容師がシャンプー等を洗い流すような場合でも、樹脂製のシャワーヘッド１０を手の平の中で滑動させることなく強固に把持することができるように構成されている（図３参照）。
【００２６】
具体的には、滑り止め具１は、上下端（図１（ａ）上下方向端）が開放する略円筒状に構成されると共にシャワーヘッド１０のヘッド部１２外周に密着状に装着される滑り止め本体２と、その滑り止め本体２の外周面から突出して形成される滑り止め突部３とを主に備えて構成されている。これら滑り止め本体２と滑り止め突部３とは、ゴム材料から射出成形などにより一体に成形されている。
【００２７】
このように、滑り止め具１によれば、滑り止め本体２及び滑り止め突部３をゴム材料から構成したので、その分、摩擦係数を大きくすることができる。よって、理美容師がシャワーヘッド１０を操作する場合には、かかるシャワーヘッド１０を手の平の中で滑動させることなく、強固に把持することができる（図３参照）。
【００２８】
また、この滑り止め本体１によれば、上下端が開放する略筒状体に構成されているので、滑り止め具１をヘッド部１２の底部側（図１（ａ）下側）から嵌め込むだけで容易に取り付けることができ、また、同様に、取り外すことも容易に行うことができる。よって、シャワーヘッド１０を分解するなど煩雑な作業を行う必要もなく、その着脱作業を迅速かつ簡便に行うことができる。
【００２９】
そして、滑り止め本体２は略円筒状に構成されているので、その内周径を適宜変更して成形することにより、滑り止め具１を既存の種々のシャワーヘッドに装着することができる。よって、滑り止め具１を異なるメーカーのシャワーヘッド１０へ適用する場合でも、大幅な設計変更等を行う必要がなく、その設計負担が軽減されるので、その分、設計コストの低減を図ることができる。
【００３０】
更に、滑り止め本体２の外周面には、図１（ａ）に示すように、滑り止め突部３が突出して形成されているので、かかる滑り止め突部３によって理美容師の手を係止して、シャワーヘッド１０の滑動をより一層抑制することができる。よって、例えば、女性の美容師など握力の弱い者に対しても、シャワーヘッド１０を滑動させることなく、より強固に把持させることができる。
【００３１】
なお、この滑り止め突部２は、図１（ａ）に示すように、滑り止め本体２の外周にリング状に周設される複数本（本実施例では５本）の凸条として構成されている。よって、かかる凸条によって、シャワーヘッド１０を把持する指を確実に係止することができるので（図３参照）、散水板１２（散水孔１３）からの水の噴射方向や手の平の中でヘッド部２が転がる方向に対する滑り止め効果を効果的に発揮することができる。
【００３２】
ここで、滑り止め具１を構成するゴム材料としては、天然ゴム（ＮＲ）又は合成ゴムのいずれを使用しても良い。また、合成ゴムとしては、例えば、スチレンブタジエンゴム（ＳＢＲ）、ブタジエンゴム（ＢＲ）、アクリロニトリルブタジエンゴム（ＮＢＲ）、イソプレンゴム（ＩＲ）、ブチルゴム（ＩＩＲ）、クロロプレンゴム（ＣＲ）、エチレンプロピレンゴム（ＥＰＭ，ＥＰＤＭ）、ウレタンゴム（Ｕ）、シリコーンゴム（Ｑ）、フッ素ゴム（ＦＫＭ）などが例示される。なお、これら各ゴム材料を純ゴム配合として構成する必要は必ずしもなく、補強剤（例えば、老化防止剤や加硫促進剤、硫黄など）などの添加剤を適宜添加することは当然可能である。
【００３３】
また、滑り止め具１のゴム硬度としては、略４０°ＪＩＳ〜略６０°ＪＩＳの範囲とすることが好ましく、より好ましくは、略４５°ＪＩＳ〜略５５°ＪＩＳの範囲である。略４５°ＪＩＳ以上の硬度とすることで、滑り止め具１の耐摩耗性と強度を確保しつつ、略５５°ＪＩＳ以下の硬度とすることで、柔らかさを発揮させて、長時間にわたるシャワーヘッド１０操作時の指先の負担を軽減するためである。なお、本実施例では、滑り止め具１を天然ゴムで構成すると共に、その硬度を５０°ＪＩＳに設定した。
【００３４】
図２は、図１のＩＩ−ＩＩ線におけるシャワーヘッド１０の断面図である。図２に示すように、滑り止め具１の滑り止め本体２は、その内周側にフランジ状に突出して形成される嵌合突部２ａを備えており、この嵌合突部２ａは、シャワーヘッド１０のヘッド部１２外周に凹設された凹部に嵌合可能に構成されている。
【００３５】
よって、滑り止め具１をシャワーヘッド１０へ装着する場合には、かかる嵌合凸部２ａをヘッド部１２の凹部へ嵌合させることにより、その滑り止め具１を適切な位置へ自動的に位置決めさせることができるだけでなく、滑り止め具１をヘッド部１２へ強固に固定することもできる。従って、滑り止め具１を滑り止めとしての適切な位置に配置することができると共に、シャワーヘッド１０の操作中に滑り止め具１がずれてしまったり、ヘッド部１２から抜けてしまうなどの不具合を未然に防止することができる。
【００３６】
また、例えば、滑り止め本体２の内周径が、製造上のばらつきなどにより、ヘッド部１２の外周径よりも若干大きくなってしまい、その内周をヘッド部１２の外周へ密着させることができないような場合でも、嵌合凸部２ａをヘッド部１２の凹部へ嵌合させることにより、滑り止め本体２をヘッド部１２に固定することができる。よって、滑り止め本体２の寸法公差に余裕を持たせることができるので、その分、製造上の管理コストを低減して、滑り止め具１全体としての製品コストの低減を図ることができる。
【００３７】
なお、本実施例で説明するシャワーヘッド１０には、そのヘッド部１２の外周全周にわたって凹部が凹設されており、嵌合突部２ａも滑り止め本体２の内周全周にわたってフランジ状に突出して形成されている。但し、必ずしもこれらを外内周の全周にわたって形成する必要はなく、外内周に部分的に形成することは当然可能である。
【００３８】
滑り止め本体２は、図２に示すように、断面略く字状に屈曲して形成されており、その屈曲下側がテーパ部２ｂとされている。そのため、滑り止め本体２は、嵌合凸部２ａがヘッド部１２の凹部に嵌合されつつ、ヘッド部１２の外周へ装着された場合には、テーパ部２ｂがヘッド部１２の底部の傾斜に沿って密着して、そのテーパ部２ｂにおける外周外径がテーパ状に縮径される。
【００３９】
その結果、理美容師がシャワーヘッド１０を把持する場合には、かかる滑り止め本体２のテーパ部２ｂを指先の係止部として利用することができるので（図３参照）、女性などの握力の弱い者や手の小さな者であっても、シャワーヘッド１０を滑動させることなく強固に把持することができる。
【００４０】
なお、テーパ部２ｂの外周には、図２に示すように、滑り止め突部３が形成されず、その外周面が凹凸のない平坦面状に構成されている。よって、理美容師がシャワーヘッド１０を確実に把持するべく、テーパ部２ｂを指先で強固に押圧する場合であっても、その指先に滑り止め突部３が圧入されることを防止することができるので、シャワーヘッド１０を長期に操作する場合の指先への負担を軽減することができる。
【００４１】
滑り止め具１は、図２に示すように、滑り止め本体２の嵌合凸部２ｂをヘッド部１２の凹部に嵌合し、ヘッド部１２の外周に装着された場合、滑り止め本体２（テーパ部２ｂ）の下端（図２下側）がヘッド部１２の底部よりも後方（図２上側）へ後退して構成されている。即ち、滑り止め具１の装着時には、ヘッド部１２の底部が滑り止め本体２（テーパ部２ｂ）の下端よりも外方（図２下側）へ突出される。
【００４２】
よって、例えば、洗髪台で仰向けになって洗髪するお客の襟足へ水を噴射するべく、シャワーヘッド１０を上方へ向けて使用する場合でも、垂下する頭髪は、樹脂製のヘッド部１２底部上と接触し、その頭髪がゴム製の滑り止め本体１に接触して引っ掛かってしまったり引っ張られてしまうことを防止することができる。よって、シャワーヘッド１０をスムーズに左右へ移動させることができると共に、洗髪されているお客に不快感を与えることを抑制することができる。
【００４３】
以上、実施例に基づき本考案を説明したが、本考案は、上記実施例に何ら限定されるものではなく、本考案の趣旨を逸脱しない範囲で種々の変形が可能であることは、容易に推察されるものである。
【００４４】
例えば、上記実施例では、滑り止め本体２の内周に嵌合突部２ａが一つのみ設けられる場合を説明したが、必ずしもこれに限られるわけではなく、滑り止め具１を装着するシャワーヘッド１０に凹設される凹部の数に合わせて、２つ以上を設けても良く、或いは、嵌合凸部２ａを設けずに構成しても良い。また、その嵌合凸部２ａの配設位置は、図２に示すように、滑り止め本体２の上端（図２上側）に設ける必要は必ずしもなく、滑り止め本体２の内周側のどのような位置であっても良い。
【００４５】
また、上記実施例では、ヘッド部１２の底部（図２下側）がテーパ状に形成されるシャワーヘッド１０に滑り止め具１を装着する場合を説明したが、必ずしもこれに限られるわけではなく、例えば、ヘッド部の外周外径が上下方向（図２上下方向）一定に構成されるシャワーヘッドに装着するように滑り止め具１を構成することは当然可能である。
【００４６】
なお、この場合には、滑り止め本体２の断面を略く字状に屈曲させて形成（図２参照）することができないので、テーパ部２ｂの肉厚を下端側（図２下側）へ向けて漸次減少させることにより、その部分の外周外径がテーパ状に縮径されるようにすることが好ましい。これにより、上記実施例で説明したと同様に、理美容師がシャワーヘッド１０を把持する場合には、かかるテーパ部２ｂを指先の係止部として利用することができるからである（図３参照）。
【００４７】
更に、上記実施例では、滑り止め具１の装着対象として、理容室や美容室で使用される業務用のシャワーヘッドを説明したが、必ずしもこれに限られるわけではなく、滑り止め具１の装着対象に、一般家庭の浴室で使用されるシャワーヘッドを含めることは当然可能である。
【図面の簡単な説明】
【００４８】
【図１】（ａ）は、本考案の一実施例における滑り止め具が装着されたシャワーヘッドの側面図であり、（ｂ）は、そのシャワーヘッドの裏面図である。
【図２】図１のＩＩ−ＩＩ線におけるシャワーヘッド及び滑り止め具の断面図である。
【図３】滑り止め具が装着されたシャワーヘッドの使用態様を示す図である。。
【符号の説明】
【００４９】
１                滑り止め具
２                滑り止め本体
３                滑り止め突部
２ａ              嵌合凸部
２ｂ              テーパ部
１０              シャワーヘッド
１１              連結部
１２              ヘッド部
１３              散水板
１４              散水孔
【図１】
0003101274.tif 000003
【図２】
0003101274.tif 000004
【図３】
0003101274.tif 000005